(57)【要約】      （修正有）【課題】セッションに参加する各伝送端末に利用が許可された送信品質、及び受信品質に基づいて、セッションのサービス内容を決定することを容易にする伝送管理システムを提供する。【解決手段】伝送管理システム５０は、複数の伝送端末のそれぞれに提供されるサービス内容を識別するサービス識別情報と、サービス識別情報に対応する１つ以上の送信品質の情報及び１つ以上の受信品質の情報とを管理するサービス管理手段５７と、セッションに参加する伝送端末の各々のサービス識別情報を取得する取得手段５５と、取得したサービス識別情報に基づいて、セッションに参加する伝送端末の各々がセッションで利用可能な送信品質及び前記受信品質を抽出する抽出手段５４と、抽出された送信品質及び受信品質の中から、セッションに参加する伝送端末の各々が利用する送信品質及び前記受信品質を決定する決定手段と、を有する【選択図】図７
2017038252.tif 000002
【特許請求の範囲】
【請求項１】
中継装置を介してコンテンツデータの伝送を行うセッションを管理する伝送管理システムであって、
複数の伝送端末のそれぞれに提供されるサービス内容を識別するサービス識別情報と、前記サービス識別情報に対応する１つ以上の送信品質の情報及び１つ以上の受信品質の情報とを管理するサービス管理手段と、
前記セッションに参加する伝送端末の各々の前記サービス識別情報を取得する取得手段と、
前記取得したサービス識別情報に基づいて、前記セッションに参加する伝送端末の各々が前記セッションで利用可能な前記送信品質及び前記受信品質を抽出する抽出手段と、
前記抽出された前記送信品質及び前記受信品質の中から、前記セッションに参加する伝送端末の各々が利用する前記送信品質及び前記受信品質を決定する決定手段と、
を有する伝送管理システム。
【請求項２】
前記抽出手段は、
前記セッションに参加する一の伝送端末の前記送信品質を、前記一の伝送端末のサービス識別情報に対応する１つ以上の送信品質の情報に含まれ、かつ前記セッションに参加する他の伝送端末の受信品質と同等以上となるように抽出する請求項１に記載の伝送管理システム。
【請求項３】
前記抽出手段は、
前記セッションに参加する一の伝送端末の前記受信品質を、前記一の伝送端末のサービス識別情報に対応する１つ以上の受信品質の情報に含まれ、かつ前記セッションに参加する他の伝送端末の送信品質と同等以下となるように抽出する請求項１又は２に記載の伝送管理システム。
【請求項４】
前記決定手段は、
前記抽出された前記送信品質又は前記受信品質が複数ある場合、各サービス識別情報に対応づけて、前記送信品質又は前記受信品質の品質項目毎に優先する内容を予め記憶したサービス優先度情報に基づいて、前記セッションに参加する伝送端末の各々が利用する前記送信品質及び前記受信品質を決定する請求項１乃至３のいずれか一項に記載の伝送管理システム。
【請求項５】
前記送信品質及び前記受信品質は、
前記伝送端末が伝送する画像データのフレームレート、ビットレート、解像度、画質、又は色深度の品質項目を含む請求項１乃至４のいずれか一項に記載の伝送管理システム。
【請求項６】
前記決定手段によって決定された前記送信品質及び前記受信品質の情報を、前記セッションに参加する複数の伝送端末、及び前記中継装置に通知するセッション制御手段を有する請求項１乃至５のいずれか一項に記載の伝送管理システム。
【請求項７】
請求項６に記載の伝送管理システムと、
中継装置を介してコンテンツデータの送受信を行うセッションに参加する伝送端末を、
前記伝送端末に提供されるサービス内容を識別するサービス識別情報が記録された記録媒体から前記サービス識別情報を読出す読出手段、及び
前記読出したサービス識別情報を含むセッションの制御情報を前記伝送管理システムに送信し、前記伝送管理システムから通知された送信品質及び受信品質の情報に基づいて前記セッションを確立する通信制御手段、
として機能させるためのプログラムと、
を含む伝送システム。
【請求項８】
中継装置を介してコンテンツデータの伝送を行うセッションを管理する情報処理装置であって、
複数の伝送端末のそれぞれに提供されるサービス内容を識別するサービス識別情報と、前記サービス識別情報に対応する１つ以上の送信品質の情報及び１つ以上の受信品質の情報とを管理するサービス管理手段と、
前記セッションに参加する伝送端末の各々の前記サービス識別情報を取得する取得手段と、
前記取得したサービス識別情報に基づいて、前記セッションに参加する伝送端末の各々が前記セッションで利用可能な前記送信品質及び前記受信品質を抽出する抽出手段と、
前記抽出された前記送信品質及び前記受信品質の中から、前記セッションに参加する伝送端末の各々が利用する前記送信品質及び前記受信品質を決定する決定手段と、
を有する情報処理装置。
【請求項９】
中継装置を介してコンテンツデータの伝送を行うセッションを管理する伝送管理システムによる伝送管理方法であって、
前記伝送管理システムが、複数の伝送端末のそれぞれに提供されるサービス内容を識別するサービス識別情報と、前記サービス識別情報に対応する１つ以上の送信品質の情報及び１つ以上の受信品質の情報とを管理し、
前記伝送管理システムが、
前記セッションに参加する伝送端末の各々の前記サービス識別情報を取得する取得ステップと、
前記取得したサービス識別情報に基づいて、前記セッションに参加する伝送端末の各々が前記セッションで利用可能な前記送信品質及び前記受信品質を抽出する抽出ステップと、
前記抽出された前記送信品質及び前記受信品質の中から、前記セッションに参加する伝送端末の各々が利用する前記送信品質及び前記受信品質を決定する決定ステップと、
を含む伝送管理方法。
【請求項１０】
請求項９に記載の伝送管理方法を、コンピュータに実行させるためのプログラム。
【発明の詳細な説明】
【技術分野】
【０００１】
本発明は、伝送管理システム、伝送システム、情報処理装置、伝送管理方法、及びプログラムに関する。
【背景技術】
【０００２】
中継装置を介して複数の伝送端末間でコンテンツデータを送受信する伝送システムの一例として、インターネット等の通信ネットワークを介してテレビ会議等を行うテレビ会議システムが知られている（例えば、特許文献１参照）。
【０００３】
また、ＳＩＭ（Subscriber Identity Module）等の可動コンポーネントに記憶された識別子に基づいて、保護されたメディアコンテンツを配信する配信サービスが知られている（例えば、特許文献２参照）。
【発明の概要】
【発明が解決しようとする課題】
【０００４】
伝送システムにおいて、各伝送端末に利用が許可された送信品質、及び受信品質等のサービス内容が、例えば、ＳＩＭ等の記録媒体などに記憶され、予め設定されている場合がある。
【０００５】
また、中継装置を介してコンテンツデータの送受信を行う伝送システムでは、中継装置でコンテンツデータの品質の変換が行われる場合がある。
【０００６】
このような場合、中継装置を介してコンテンツデータの送受信を行うセッションを管理する管理システムが、セッションに参加する各伝送端末に利用が許可された送信品質、及び受信品質の情報に基づいてセッションのサービス内容を決定することには困難を伴っていた。
【０００７】
本発明の実施の形態は、上記問題点に鑑みてなされたものであって、セッションに参加する各伝送端末に利用が許可された送信品質、及び受信品質に基づいて、セッションのサービス内容を決定することを容易にする伝送管理システムを提供することを目的とする。
【課題を解決するための手段】
【０００８】
上記課題を解決するため、本発明の一実施形態に係る伝送管理システムは、中継装置を介してコンテンツデータの伝送を行うセッションを管理する伝送管理システムであって、複数の伝送端末のそれぞれに提供されるサービス内容を識別するサービス識別情報と、前記サービス識別情報に対応する１つ以上の送信品質の情報及び１つ以上の受信品質の情報とを管理するサービス管理手段と、前記セッションに参加する伝送端末の各々の前記サービス識別情報を取得する取得手段と、前記取得したサービス識別情報に基づいて、前記セッションに参加する伝送端末の各々が前記セッションで利用可能な前記送信品質及び前記受信品質を抽出する抽出手段と、前記抽出された前記送信品質及び前記受信品質の中から、前記セッションに参加する伝送端末の各々が利用する前記送信品質及び前記受信品質を決定する決定手段と、を有する。
【発明の効果】
【０００９】
本発明の実施の形態によれば、セッションに参加する各伝送端末に利用が許可された送信品質、及び受信品質に基づいて、セッションのサービス内容を決定することを容易にする伝送管理システムを提供することができる。
【図面の簡単な説明】
【００１０】
【図１】一実施形態に係る伝送システムの概略図である。
【図２】伝送システムにおける画像データ、音データ、及び各種管理情報の送受信の状態を示した概念図である。
【図３】一実施形態に係る画像データの画質を説明する概念図である。
【図４】一実施形態に係る端末の外観図である。
【図５】一実施形態に係る端末のハードウェア構成図である。
【図６】一実施形態に係る管理システムのハードウェア構成図である。
【図７】一実施形態に係る伝送システムの機能構成図である。
【図８】一実施形態に係るサービス管理部、及びセッション管理部の機能構成図である。
【図９】一実施形態に係る中継管理部の機能構成図である。
【図１０】一実施形態に係る中継装置管理テーブル、認証管理テーブル、及び端末管理テーブルの概念図である。
【図１１】一実施形態に係る宛先リスト管理テーブル、及びセッション管理テーブルの概念図である。
【図１２】一実施形態に係るサービス管理テーブルの概念図である。
【図１３】一実施形態に係るサービス優先度管理テーブルの概念図である。
【図１４】一実施形態に係る中継装置が管理するサービス内容管理テーブルの概念図である。
【図１５】一実施形態に係る伝送システムの準備段階の処理の例を示すシーケンス図である。
【図１６】一実施形態に係る伝送システムの通信処理の例を示すシーケンス図（１）である。
【図１７】一実施形態に係る伝送システムの通信処理の例を示すシーケンス図（２）である。
【図１８】一実施形態に係るサービス内容の決定処理の流れを示すフローチャートである。
【図１９】一実施形態に係るサービス内容の決定処理を説明するための図である。
【発明を実施するための形態】
【００１１】
以下に、本発明の実施の形態について、添付の図面を参照して説明する。
【００１２】
＜システム構成＞
図１は、一実施形態に係る伝送システムの概略図である。図２は、伝送システムにおける画像データ、音データ、及び各種管理情報の送受信の状態を示した概念図である。図３は、一実施形態に係る画像データの画質を説明する概念図である。
【００１３】
伝送システムには、伝送管理システムを介して一方の伝送端末から他方の伝送端末に一方向でコンテンツデータを伝送するデータ提供システムや、伝送管理システムを介して複数の伝送端末間で情報や感情等を相互に伝達するコミュニケーションシステムが含まれる。このコミュニケーションシステムは、コミュニケーション管理システム（「伝送管理システム」に相当）を介して複数のコミュニケーション端末（「伝送端末」に相当）間で情報や感情等を相互に伝達するためのシステムである。コミュニケーションシステムの例としては、テレビ会議システムやテレビ電話システム等が挙げられる。
【００１４】
本実施形態では、コミュニケーションシステムの一例としてのテレビ会議システム、コミュニケーション管理システムの一例としてのテレビ会議管理システム、及びコミュニケーション端末の一例としてのテレビ会議端末を想定する。また、その上で、伝送システム、伝送管理システム、及び伝送端末について説明する。即ち、本発明の伝送端末及び伝送管理システムは、テレビ会議システムに適用されるだけでなく、コミュニケーションシステム、又は伝送システムにも適用される。
【００１５】
まず、図１に示されている伝送システム１は、複数の伝送端末（１０ａａ，１０ａｂ，・・・）、各伝送端末（１０ａａ，１０ａｂ，・・・）用のディスプレイ（１２０ａａ，１２０ａｂ，・・・）、複数の中継装置（３０ａ，３０ｂ，３０ｃ，３０ｄ）、伝送管理システム５０、プログラム提供システム９０、及びメンテナンスシステム１００等を含む。また、複数の端末伝送端末（１０ａａ，１０ａｂ，・・・）は、コンテンツデータの一例としての画像データ及び音データの送受信による伝送を行う。
【００１６】
なお、以下の説明の中で、「伝送端末」を単に「端末」として表し、「伝送管理システム」を単に「管理システム」として表す。また、複数の端末（１０ａａ，１０ａｂ，・・・）のうち任意の端末を「端末１０」と表す。さらに、複数のディスプレイ（１２０ａａ，１２０ａｂ，・・・）のうち任意のディスプレイを「ディスプレイ１２０」と表し、複数の中継装置（３０ａ，３０ｂ，３０ｃ，３０ｄ）のうち任意の中継装置は「中継装置３０」と表す。さらにまた、テレビ会議の開始を要求する要求元としての端末を「要求元端末」と表し、要求先である宛先（中継先）としての端末は「宛先端末」と表す。
【００１７】
また、図２に示されているように、伝送システム１において、要求元端末と宛先端末との間では、管理システム５０を介して、各種の管理情報を送受信するための管理情報用セッションｓｅｉが確立される。また、要求元端末と宛先端末との間では、中継装置３０を介して、高解像度の画像データ、中解像度の画像データ、低解像度の画像データ、及び音データの４つの各データを送受信するための４つのセッションが確立される。ここでは、これら４つのセッションをまとめて、画像・音データ用セッションｓｅｄとして示している。なお、画像・音データ用セッションｓｅｄは、必ずしも４つのセッションである必要はなく、４つのセッション数より少ない又は多いセッション数であっても良い。
【００１８】
ここで、本実施形態で扱われる画像データの画像の解像度について説明する。本実施形態では、図３（ａ）に示されているように、横が１６０画素、縦が１２０画素から成り、ベース画像となる画像を低解像度の画像と呼ぶものとする。また、図３（ｂ）に示されているように、横が３２０画素、縦が２４０画素から成る画像を中解像度の画像と呼ぶものとする。さらに、図３（ｃ）に示されているように、横が６４０画素、縦が４８０画素から成る画像を高解像度の画像と呼ぶものとする。
【００１９】
このうち、狭帯域経路（伝送帯域が狭い通信経路）を経由する場合には、ベース画像となる低解像度の画像データのみから成る低画質の画像データが中継される。また、帯域が比較的広い場合には、ベース画像となる低解像度の画像データ、及び中解像度の画像データから成る中画質の画像データが中継される。さらに、帯域が非常に広い場合には、ベース画質となる低解像度の画像データ、中解像度の画像データ、及び高解像度の画像データから成る高画質の画像データが中継される。
【００２０】
図１に示されている中継装置３０は、複数の端末１０の間で、コンテンツデータの中継を行う。管理システム５０は、端末１０からのログイン認証、端末１０の通話状況の管理、宛先リストの管理等、及び中継装置３０の通信状況等を一元的に管理する。なお、画像データの画像は、動画であっても静止画であってもよく、動画と静止画の両方であっても良い。
【００２１】
複数のルータ（７０ａ，７０ｂ，７０ｃ，７０ｄ，７０ａｂ，７０ｃｄ）は、画像データ及び音データの最適な経路の選択を行う。なお、以下では、ルータ（７０ａ，７０ｂ，７０ｃ，７０ｄ，７０ａｂ，７０ｃｄ）のうち任意のルータは「ルータ７０」と表されている。
【００２２】
プログラム提供システム９０は、後述のＨＤ(Hard Disk)２０４を備えており、端末１０に各種機能を実現させる（又は、端末１０を各種手段として機能させる）ための端末用プログラムが記憶されている。また、プログラム提供システム９０は、端末１０に端末用プログラムを送信することができる。
【００２３】
また、プログラム提供システム９０のＨＤ２０４には、中継装置３０に各種機能を実現させる（又は、中継装置３０を各種手段として機能させる）ための中継装置用プログラムも記憶されており、中継装置３０に、中継装置用プログラムを送信することができる。さらに、プログラム提供システム９０のＨＤ２０４には、管理システム５０に各種機能を実現させる（又は、管理システム５０を各種手段として機能させる）ための伝送管理用プログラムも記憶されている。また、プログラム提供システム９０は、管理システム５０に伝送管理用プログラムを送信することができる。
【００２４】
メンテナンスシステム１００は、端末１０、中継装置３０、管理システム５０、及びプログラム提供システム９０のうちの少なくとも１つの維持、管理、又は保守を行うためのコンピュータである。例えば、メンテナンスシステム１００が国内に設置され、端末１０、中継装置３０、管理システム５０、又はプログラム提供システム９０が国外に設置されているものとする。この場合、メンテナンスシステム１００は、通信ネットワーク２を介して遠隔的に、端末１０、中継装置３０、管理システム５０、及びプログラム提供システム９０のうちの少なくとも１つの維持、管理、保守等のメンテナンスを行う。また、メンテナンスシステム１００は、通信ネットワーク２を介さずに、端末１０、中継装置３０、管理システム５０、及びプログラム提供システム９０等の機種番号、製造番号、販売先、保守点検、又は故障履歴の管理等のメンテナンスを行う。
【００２５】
ところで、端末（１０ａａ，１０ａｂ，１０ａｃ，・・・）、中継装置３０ａ、及びルータ７０ａは、ＬＡＮ２ａによって通信可能に接続されている。端末（１０ｂａ，１０ｂｂ，１０ｂｃ，・・・）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されている。また、地域Ｂは中国であり、ＬＡＮ２ｂは中国の事業所内で構築されている。
【００２６】
一方、端末（１０ｃａ，１０ｃｂ，１０ｃｃ，・・・）、中継装置３０ｃ、及びルータ７０ｃは、ＬＡＮ２ｃによって通信可能に接続されている。端末１０ｄ（ａ，１０ｄｂ，１０ｄｃ，・・・）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｃはアメリカ合衆国であり、ＬＡＮ２ｃはアメリカの事業所内で構築されている。また、地域Ｄは欧州であり、ＬＡＮ２ｄは欧州の事業所内で構築されている。それぞれのルータ（７０ａ，７０ｂ，７０ｃ，７０ｄ）は、インターネット２ｉを介して通信可能に接続されている。
【００２７】
また、管理システム５０、及びプログラム提供システム９０は、インターネット２ｉを介して、端末１０、及び中継装置３０と通信可能に接続されている。管理システム５０、及びプログラム提供システム９０は、地域Ａ、地域Ｂ、地域Ｃ、又は地域Ｄに設置されていても良いし、これら以外の地域に設置されていても良い。
【００２８】
なお、本実施形態では、ＬＡＮ２ａ、ＬＡＮ２ｂ、インターネット２ｉ、ＬＡＮ２ｃ、及びＬＡＮ２ｄが、本実施形態の通信ネットワーク２に含まれる。この通信ネットワーク２には、有線だけでなく、無線ＬＡＮや、無線ＰＡＮ（Personal Area Network）等の無線による通信が行われる箇所があっても良い。
【００２９】
また、図１において、各端末１０、各中継装置３０、管理システム５０、各ルータ７０、及びプログラム提供システム９０の下に示されている４組の数字は、一般的なＩＰｖ４におけるＩＰアドレスを簡易的に示している。例えば、端末１０ａａのＩＰアドレスは「１．２．１．３」である。また、ＩＰｖ４ではなく、ＩＰｖ６を用いても良いが、説明を簡略化するため、ＩＰｖ４を用いて説明する。
【００３０】
なお、各端末１０は、複数の事業所間での通話や、同じ事業所内の異なる部屋間での通話だけでなく、同じ部屋内での通話や、屋外と屋内又は屋外と屋外での通話で使われても良い。各端末１０が屋外で使われる場合には、例えば、携帯電話通信網や、公衆無線ＬＡＮ等の公衆無線通信が用いられる。
【００３１】
＜ハードウェア構成＞
次に、本実施形態のハードウェア構成を説明する。
【００３２】
（端末の外観）
図４は、本実施形態に係る端末１０の外観図である。図４に示されているように、端末１０は、筐体１１００、アーム１２００、及びカメラハウジング１３００を備えている。このうち、筐体１１００の前側壁面１１１０には、複数の吸気孔によって形成された吸気面が設けられており、筐体１１００の後側壁面１１２０には、複数の排気孔が形成された排気面１１２１が設けられている。これにより、筐体１１００に内蔵された冷却ファンの駆動によって、筐体１１００の前側壁面１１１０に設けられた吸気面を介して端末１０の前方の外気を取り込み、排気面１１２１を介して端末１０の後方へ排気することができる。筐体１１００の右側壁面１１３０には、収音用孔１１３１が形成され、後述する内蔵型のマイク１１４によって音、物音、雑音、鼓動等の音が収音可能となっている。
【００３３】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられている。また、この操作パネル１１５０には、後述の内蔵型のスピーカ１１５からの出力音を通すための複数の音出力孔によって形成された音出面１１５１が形成されている。
【００３４】
また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための不図示の接続口が設けられている。
【００３５】
なお、以下の説明の中で、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いる。
【００３６】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図４は、チルト角θ１が９０度の状態を示している。カメラハウジング１３００には、後述の内蔵型のカメラ１１２が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。カメラハウジング１３００は、トルクヒンジ１３１０を介してアーム１２００に取り付けられている。また、カメラハウジング１３００は、カメラハウジング１３００がアーム１２００に対して、図４で示されている状態を０度として±１８０度のパン角θ２の範囲で、且つ、±４５度のチルト角θ３の範囲で、上下左右方向に回転可能に構成されている。
【００３７】
なお、上記図４の外観図はあくまで一例であってこの外観に限定するものではない。端末１０は例えば汎用的なＰＣ、スマートフォン、タブレット型端末、であっても良い。カメラやマイクは必ずしも内蔵型である必要はなく外付けであっても良い。また、管理システム５０は、それぞれ一般のサーバコンピュータの外観と同じであるため、外観の説明を省略する。
【００３８】
（端末のハードウェア構成）
図５は、本発明の本実施形態に係る端末１０のハードウェア構成図である。端末１０は、一般的なコンピュータの構成を含み、例えば、ＣＰＵ（Central Processing Unit)１０１、ＲＯＭ（Read Only Memory)１０２、ＲＡＭ(Random Access Memory)１０３、フラッシュメモリ１０４、及びＳＳＤ（Solid State Drive）１０５を有する。また、端末１０は、メディアドライブ１０７、操作ボタン１０８、電源スイッチ１０９、ネットワークＩ／Ｆ(Interface)１１１、カメラ１１２、撮像素子Ｉ／Ｆ１１３、マイク１１４、スピーカ１１５、及び音入出力Ｉ／Ｆ１１６を有する。さらに、端末１０は、ディスプレイＩ／Ｆ１１７、外部機器Ｉ／Ｆ１１８、及びバス１１０等を有する。
【００３９】
ＣＰＵ１０１は、例えば、ＲＯＭ１０２や、フラッシュメモリ１０４等からプログラムやデータを読出し、処理を実行することで、端末１０が備える各機能を実現する演算装置である。ＲＯＭ１０２は、ＩＰＬ（Initial Program Loader）等のＣＰＵ１０１の起動に用いられるプログラム等を予め記憶した不揮発性のメモリである。ＲＡＭ１０３は、ＣＰＵ１０１のワークエリア等として利用される揮発性のメモリである。
【００４０】
フラッシュメモリ１０４は、例えば、ＯＳ（Operating System）、アプリケーションプログラム、及び各種のデータ等を記憶するストレージデバイスである。ＳＳＤ１０５は、ＣＰＵ１０１の制御に従ってフラッシュメモリ１０４に対する各種データの読み出し、書き込みを制御する。メディアドライブ１０７は、例えば、メモリカード等の記録メディア１０６に対するデータの読み出し又は書き込み（記憶）を制御する。
【００４１】
操作ボタン１０８は、端末１０の利用者の入力操作を受け付ける入力装置である。電源スイッチ１０９は、端末１０の電源のオン／オフを切り替えるためのスイッチである。ネットワークＩ／Ｆ１１１は、通信ネットワーク２を利用してデータ伝送をするための通信インタフェースである。
【００４２】
カメラ１１２は、ＣＰＵ１０１の制御に従って被写体を撮像するための撮像素子を含む。撮像素子Ｉ／Ｆ１１３は、カメラ１１２による撮像を制御すると共に、撮像したデータを所定の画像データに変換する。マイク１１４は、収音した音声を電気信号に変換する。スピーカ１１５は、音声信号を音声に変換して出力する。音入出力Ｉ／Ｆ１１６は、マイク１１４及びスピーカ１１５による音声の入出力を制御する。
【００４３】
ディスプレイＩ／Ｆ１１７は、ＣＰＵ１０１の制御に従って、外付けのディスプレイ１２０に画像データを伝送する。外部機器Ｉ／Ｆ１１８は、各種の外部機器を接続するためのインタフェースである。バス１１０は、上記の各構成に共通に接続され、アドレス信号、データ信号、及び各種の制御信号等を伝達する。
【００４４】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであっても良いし、コンポーネントビデオ用のケーブルであっても良い。
【００４５】
カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。
【００４６】
外部機器接続Ｉ／Ｆ１１８には、ＵＳＢ(Universal Serial Bus)ケーブル等によって、外付けカメラ、外付けマイク、及び外付けスピーカ等の外部機器がそれぞれ接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００４７】
なお、記録メディア１０６は、例えば、各種のメモリカードや、ＳＩＭ（Subscriber Identity Module）カード等の記録媒体である。記録メディア１０６は、端末１０に対して着脱自在な構成となっている。
【００４８】
さらに、上記の端末１０用のプログラムは、インストール可能な形式又は実行可能な形式のファイルで、上記記録メディア１０６等の、コンピュータで読み取り可能な記録媒体に記録して流通させるようにしても良い。また、上記の端末１０用のプログラムは、例えば、フラッシュメモリ１０４に記憶させるものであっても良いし、或いは、ＲＯＭ１０２に予め記憶したもの等であっても良い。
【００４９】
（管理システムのハードウェア構成）
図６は、一実施形態に係る管理システムのハードウェア構成図である。管理システム５０は、一般的なコンピュータのハードウェア構成を有しており、例えば、ＣＰＵ２０１、ＲＯＭ２０２、ＲＡＭ２０３、ＨＤ２０４、ＨＤＤ（Hard Disk Drive）２０５、メディアドライブ２０７、及びディスプレイ２０８を有する。また、管理システム５０は、ネットワークＩ／Ｆ２０９、キーボード２１１、マウス２１２、光学ドライブ２１４、及びバス２１０等を有する。
【００５０】
ＣＰＵ２０１は、例えば、ＲＯＭ２０２、ＨＤ２０４等に格納されたプログラムやデータを読出し、処理を実行することにより、管理システム５０が備える各機能を実現する演算装置である。ＲＯＭ２０２は、ＩＰＬ等のＣＰＵ２０１の起動に用いられるプログラム等を予め記憶した不揮発性のメモリである。ＲＡＭ２０３は、ＣＰＵ２０１のワークエリア等として利用される揮発性のメモリである。
【００５１】
ＨＤ２０４は、例えば、ＯＳや、アプリケーションプログラム等のプログラムや、各種のデータを記憶するストレージ装置である。ＨＤＤ２０５は、ＣＰＵ２０１の制御に従って、ＨＤ２０４に対する各種データの読み出し又は書き込みを制御する。ディスプレイ２０８は、例えば、カーソル、メニュー、ウィンドウ、文字、又は画像等の各種の情報を表示する表示装置である。
【００５２】
ネットワークＩ／Ｆ２０９は、通信ネットワーク２を利用してデータ通信を行うための通信インタフェースである。キーボード２１１は、利用者による文字、数値、各種指示などの入力操作を受け付けるための入力装置の一例である。マウス２１２は、利用者による各種指示の選択や実行、処理対象の選択、カーソルの移動等の操作を受け付けるポインティングデバイスの一例である。
【００５３】
メディアドライブ２０７は、例えば、メモリカード等の記録メディア２０６に対するデータの読み出しや、書き込み（記憶）を制御する。光学ドライブ２１４は、着脱可能な記録媒体の一例としての各種の光学ディスク２１３に対するデータの読み出し又は書き込みを制御する。バス２１０は、上記の各構成要素を電気的に接続し、アドレス信号、データ信号、及び各種の制御信号等を伝達する。
【００５４】
なお、上記のコンピュータのハードウェア構成はあくまで一例である。例えば、ディスプレイ２０８、キーボード２１１、マウス２１２等は、管理システム５０の外部に外付けされているものであっても良い。
【００５５】
なお、上記の管理システム５０用のプログラムは、インストール可能な形式又は実行可能な形式のファイルで、上記記録メディア２０６や光学ディスク２１３等のコンピュータで読み取り可能な記録媒体に記録して流通させるようにしても良い。また、上記の管理システム５０用のプログラムは、ＨＤ２０４に記憶するものであっても良いし、予めＲＯＭ２０２に記憶されたもの等であっても良い。
【００５６】
また、中継装置３０は、上記管理システム５０と同様のハードウェア構成を有しているため、その説明を省略する。但し、ＨＤ２０４には、中継装置３０を制御するための中継装置３０用のプログラムが記録されている。この場合も、中継装置用プログラムは、インストール可能な形式又は実行可能な形式のファイルで、上記記録メディア２０６や光学ディスク２１３等のコンピュータで読み取り可能な記録媒体に記録して流通させるようにしても良い。また、上記の中継装置３０用のプログラムは、ＨＤ２０４に記憶するものであっても良いし、予めＲＯＭ２０２に記憶されたもの等であっても良い。
【００５７】
また、プログラム提供システム９０及びメンテナンスシステム１００は、上記管理システム５０と同様のハードウェア構成を有しているため、その説明を省略する。但し、ＨＤ２０４には、プログラム提供システム９０を制御するためのプログラム提供システム９０用のプログラムが記録されている。この場合も、プログラム提供システム９０用のプログラムは、インストール可能な形式又は実行可能な形式のファイルで、上記記録メディア２０６や光学ディスク２１３等のコンピュータで読み取り可能な記録媒体に記録して流通させるようにしても良い。また、上記のプログラム提供システム９０用のプログラムは、ＨＤ２０４に記憶するものであっても良いし、予めＲＯＭ２０２に記憶されたもの等であっても良い。
【００５８】
＜機能構成＞
次に、伝送システム１の機能構成について説明する。
【００５９】
図７は、一実施形態に係る伝送システムの機能構成図である。図７において、伝送システム１は、端末１０、中継装置３０、及び管理システム５０が、通信ネットワーク２を介してデータ通信を行うことができるように接続されている。また、図１に示されているプログラム提供システム９０は、テレビ会議の通信には直接関係しないため、図７では省略されている。
【００６０】
（端末の機能構成）
端末１０は、送受信部１１、操作入力受付部１２、通信制御部１３、撮像部１４、音入力部１５ａ、音出力部１５ｂ、表示制御部１６、及び記憶・読出部１７を有している。これら各部は、図５に示されている各構成要素のいずれかが、フラッシュメモリ１０４からＲＡＭ１０３上に展開された端末１０用のプログラムに従ったＣＰＵ１０１からの命令によって動作することで実現される機能、又は機能する手段である。また、端末１０は、図５に示されているＲＡＭ１０３、及び図５に示されているフラッシュメモリ１０４によって実現される記憶部１０００を有している。さらに、端末１０には、図５に示されている記録メディア１０６によって実現される記録媒体１０１０が挿入されており、記憶・読出部１７によって各種データの読み出し又は書き込みが行われる。
【００６１】
（端末の各機能構成）
次に、端末１０の各機能構成について詳細に説明する。なお、以下では、端末１０の各機能構成を説明するにあたって、図５に示されている各構成要素のうち、端末１０の各機能構成を実現させるための主な構成要素との関係も説明する。
【００６２】
送受信部１１は、図５に示されているＣＰＵ１０１からの命令、及び図５に示されているネットワークＩ／Ｆ１１１によって実現され、通信ネットワーク２を介して他の端末、装置又はシステムと各種データ（または情報）の送受信を行う。この送受信部１１は、所望の宛先端末と通話を開始する前から、管理システム５０より、宛先候補としての各端末の状態を示す各状態情報の受信を開始する。なお、この状態情報は、各端末１０の稼動状態（オンラインかオフラインかの状態）だけでなく、オンラインの場合、さらに通話可能であるか、通話中であるか、離籍中であるか等の詳細な状態を示す。
【００６３】
操作入力受付部１２は、図５に示されているＣＰＵ１０１からの命令、並びに図５に示されている操作ボタン１０８及び電源スイッチ１０９によって実現され、利用者による各種入力を受け付ける。例えば、利用者が、図５に示されている電源スイッチ１０９をオンにすると、図７に示されている操作入力受付部１２が電源オンを受け付けて、電源をオフに制御する。
【００６４】
通信制御部（通信制御手段）１３は、図５に示されているＣＰＵ１０１からの命令によって実現される。通信制御部１３は、例えば、上記電源ＯＮの受付を契機として、送受信部１１から通信ネットワーク２を介して管理システム５０に、ログインを要求する旨を示すログイン要求情報、及び要求元端末の現時点のＩＰアドレスを自動的に送信する。また、利用者が電源スイッチ１０９をオンの状態からオフにすると、送受信部１１が管理システム５０へ電源をオフする旨の状態情報を送信した後に、操作入力受付部１２が電源をオフにする。これにより、管理システム５０側では、端末１０が電源オンから電源オフになったことを把握することができる。
【００６５】
また、通信制御部１３は、中継装置３０を介して、他の端末１０とコンテンツデータの送受信を行う通信セッションの確立や、切断等、様々な通信制御を行う。なお、本実施形態に係る通信制御部１３は、管理システム５０に送信するセッションの制御情報（例えば、後述する開始要求情報、開始応答情報等）に、端末１０のサービスＩＤ含めて送信する。なお、サービスＩＤは、端末１０のそれぞれに提供されるサービス内容を識別するサービス識別情報の一例である。
【００６６】
撮像部１４は、図５に示されているＣＰＵ１０１からの命令、並びに図５に示されているカメラ１１２及び撮像素子Ｉ／Ｆ１１３によって実現され、被写体を撮像して得られた撮像データを、所定の画像（映像）データに変換して出力する。
【００６７】
音入力部１５ａは、図５に示されているＣＰＵ１０１からの命令、及び図５に示されている音声入出力Ｉ／Ｆ１１６によって実現され、マイク１１４によって利用者の音声が音声信号に変換された後、この音声信号を所定の音データに変換して出力する。音出力部１５ｂは、図５に示されているＣＰＵ１０１からの命令、及び図５に示されている音声入出力Ｉ／Ｆ１１６によって実現され、音データを音声信号に変換してスピーカに出力して、スピーカ１１５から音声を出力させる。
【００６８】
表示制御部１６は、図５に示されているＣＰＵ１０１からの命令、及び図５に示されているディスプレイＩ／Ｆ１１７によって実現される。また、表示制御部１６は、受信された画像データをディスプレイ１２０に送信するための制御を行う。また、表示制御部１６は、管理システム５０から受信した宛先リストの情報をディスプレイ１２０に送信して、ディスプレイ１２０に宛先リストを表示させることができる。
【００６９】
記憶・読出部（読出手段）１７は、図５に示されているＣＰＵ１０１からの命令及び図５に示すＳＳＤ１０５によって実現され、又はＣＰＵ１０１からの命令によって実現される。記憶・読出部１７は、記憶部１０００に各種データを記憶したり、記憶部１０００に記憶された各種データを読み出したりする処理を行う。この記憶部１０００には、端末１０を識別するための端末ＩＤ(Identification）、パスワード等が記憶される。さらに、記憶部１０００には、宛先端末との通話を行う際に受信される画像データ及び音データが、受信される度に上書き記憶される。このうち、上書きされる前の画像データによってディスプレイ１２０に画像が表示され、上書きされる前の音データによってスピーカ１１５から音声が出力される。
【００７０】
また、記憶・読出部１７は、端末１０に提供されるサービスを識別するためのサービスＩＤ（サービス識別情報）が記録された記録媒体１０１０から、サービスＩＤの読出しを行う。なお、サービスＩＤが記録された記録媒体１０１０は、例えば、メモリカードのような読み書きが自在な記録メディアであっても良いし、例えば、利用者の契約情報等が記録されたＳＩＭカード等の記録媒体であっても良い。
【００７１】
また、記録媒体１０１０がＳＩＭカードである場合、サービスＩＤは、利用者の契約情報に係るＳＩＭ識別情報等であっても良いし、ＳＩＭ識別情報とは別に記憶されたサービス内容に係る情報等であっても良い。
【００７２】
また、端末１０は、記憶部１０００に記録された端末ＩＤに代えて、記録媒体１０１０に記録されたＳＩＭ識別情報を、端末ＩＤとして用いるもの等であっても良い。
【００７３】
なお、本実施形態の端末ＩＤ、後述の中継装置ＩＤ、及びサービスＩＤは、それぞれ端末１０、中継装置３０、及びサービス内容を一意に識別するために使われる言語、文字、記号、又は各種のしるし等の識別情報の一例を示す。また、端末ＩＤ及び中継装置ＩＤサービスＩＤは、上記言語、文字、記号、及び各種のしるしのうち、少なくとも２つが組み合わされた識別情報であっても良い。
【００７４】
また、端末ＩＤに代えて、端末１０の利用者を識別するための利用者ＩＤを利用するものであっても良い。
【００７５】
（管理システムの機能構成）
管理システム５０は、送受信部５１、端末認証部５２、端末状態管理部５３、端末抽出部５４、端末状態取得部５５、セッション管理部５６、サービス管理部５７、及び記憶・読出部５８等を有している。これら各部は、図６に示されている各構成要素のいずれかが、ＨＤ２０４からＲＡＭ２０３上に展開された管理システム５０用のプログラムに従ったＣＰＵ２０１からの命令によって動作することで実現される機能又は機能する手段である。また、管理システム５０は、図６に示されているＨＤ２０４等により実現される記憶部５０００を有している。
【００７６】
（管理システムの各機能構成）
次に、管理システム５０の各機能構成について詳細に説明する。なお、以下では、管理システム５０の各機能構成を説明するにあたって、図６に示されている各構成要素のうち、管理システム５０の各機能構成を実現させるための主な構成要素との関係も説明する。
【００７７】
送受信部５１は、図６に示されているＣＰＵ２０１からの命令、及び図６に示されているネットワークＩ／Ｆ２０９によって実行され、通信ネットワーク２を介して他の端末、装置又はシステムと各種データ（または情報）の送受信を行う。
【００７８】
端末認証部５２は、図６に示されているＣＰＵ２０１からの命令によって実現される。端末認証部５２は、例えば、送受信部５１を介して受信されたログイン要求情報に含まれている端末ＩＤ及びパスワードの組合せが、認証管理ＤＢ（Database）５００２に含まれるか否かを判断することにより端末１０の認証を行う。
【００７９】
端末状態管理部５３は、図６に示されているＣＰＵ２０１からの命令によって実現され、ログイン要求してきた要求元端末の稼動状態を管理する。端末状態管理部５３は、端末管理ＤＢ５００３に、端末ＩＤ毎の、宛先名、稼動状態、要求情報等の受信日時、及び要求元端末のＩＰアドレス等を関連付けて記憶して、管理する。また、端末状態管理部５３は、利用者が端末１０の電源スイッチ１０９の状態をオンからオフにすることで、端末１０から送られてきた、電源をオフする旨の状態情報に基づいて、端末管理ＤＢ５００３のオンラインを示す稼動状態をオフラインに変更する。なお、端末管理ＤＢ５００３については後述する。
【００８０】
端末抽出部５４は、図６に示されているＣＰＵ２０１からの命令によって実現される。端末抽出部５４は、ログイン要求した要求元端末の端末ＩＤをキーとして、宛先リスト管理ＤＢ５００４を検索し、要求元端末と通話することができる宛先端末の端末ＩＤを抽出する。また、端末抽出部５４は、ログイン要求してきた要求元端末の端末ＩＤをキーとして、宛先リスト管理ＤＢ５００４を検索し、上記要求元端末の端末ＩＤを宛先端末の候補として登録している他の要求元端末の端末ＩＤも抽出する。
【００８１】
端末状態取得部５５は、図６に示されているＣＰＵ２０１からの命令によって実現される。端末状態取得部５５は、端末抽出部５４によって抽出された宛先端末の候補の端末ＩＤを検索キーとして、前述した端末管理ＤＢ５００３を検索し、端末抽出部５４によって抽出された端末ＩＤ毎に稼動状態を読み出す。これにより、端末状態取得部５５は、ログイン要求してきた要求元端末と通話することができる宛先端末の候補の稼動状態を取得することができる。また、端末状態取得部５５は、端末抽出部５４によって抽出された端末ＩＤを検索キーとして、前述した端末管理ＤＢ５００３を検索し、ログイン要求してきた要求元端末の稼動状態も取得する。なお、宛先リスト管理ＤＢ５００４については後述する。
【００８２】
セッション管理部５６は、図６に示されているＣＰＵ２０１からの命令によって実現され、例えば、図８に示すように、セッション制御部５６ａ、及びセッション情報管理部５６ｂを含む。
【００８３】
図８は、一実施形態に係るサービス管理部、及びセッション管理部の機能構成図である。
【００８４】
図８において、セッション制御部（セッション制御手段）５６ａは、管理システム５０が管理するセッション、例えば、遠隔会議、コンテンツ配信等のセッションの制御を行う。セッションの制御には、例えば、セッションを確立するための制御、確立されたセッションに端末１０を参加させる制御、セッションを切断する制御、セッションＩＤの生成等が含まれる。
【００８５】
セッション情報管理部５６ｂは、セッション制御部５６ａが生成したセッションＩＤに対応づけて、セッションの開始を要求した端末１０の要求元端末ＩＤ、及び宛先の端末１０の宛先端末ＩＤ等を、セッション管理ＤＢ５００５に記憶して、管理する。なお、セッション管理ＤＢ５００５については後述する。
【００８６】
図７のサービス管理部５７は、図６に示されているＣＰＵ２０１からの命令によって実現され、例えば、図８に示すように、サービス情報管理部５７ａ、サービスＩＤ取得部５７ｂ、サービス内容抽出部５７ｃ、及びサービス内容決定部５７ｄ等を含む。
【００８７】
図８において、サービス情報管理部（サービス情報管理手段）５７ａは、複数の端末１０のそれぞれに提供されるサービス内容を識別するサービスＩＤと、各サービスＩＤに対応するサービス内容とをサービス管理ＤＢ５００６に記憶して、管理する。
【００８８】
なお、端末１０のサービス内容には、例えば、端末１０が送信するコンテンツデータの品質を示す１つ以上の送信品質の情報や、端末１０が受信するコンテンツデータの品質を示す１つ以上の受信品質の情報等が含まれる。
【００８９】
サービス情報管理部５７ａは、例えば、管理システム５０の管理者による操作や、他の情報処理装置等からの要求情報等に応じて、サービスＩＤと、サービスＩＤに対応するサービス内容とを対応づけて、サービス管理ＤＢ５００６に記憶する。なお、サービス管理ＤＢ５００６については後述する。
【００９０】
サービスＩＤ取得部（取得手段）５７ｂは、セッションに参加する端末１０の各々のサービスＩＤを取得する。例えば、サービスＩＤ取得部５７ｂは、セッションに参加する端末１０の各々から受信した開始要求情報や、開始応答情報等のメッセージをセッション制御部５６ａから取得し、取得した情報に含まれるサービスＩＤを取得（抽出）する。
【００９１】
また、別の一例として、サービスＩＤ取得部５７ｂは、端末１０の各々から受信した情報から端末１０の識別情報（端末ＩＤ）を取得し、端末ＩＤとサービスＩＤとを予め対応づけて記憶したデータベース等からサービスＩＤを取得するもの等であっても良い。
【００９２】
なお、サービスＩＤには、後述する。
【００９３】
サービス内容抽出部（抽出手段）５７ｃは、サービスＩＤ取得部５７ｂが取得した各端末１０のサービスＩＤに対応するサービス内容に基づいて、各端末１０がセッションで利用可能なサービス内容を抽出する。
【００９４】
好ましくは、サービス内容抽出部５７ｃは、セッションに参加する端末１０の送信品質を、端末１０のサービスＩＤに対応する１つ以上の送信品質の情報に含まれ、かつセッションに参加する他の端末１０の受信品質と同等以上となるように抽出する。また、サービス内容抽出部５７ｃは、セッションに参加する端末１０の受信品質を、端末１０のサービスＩＤに対応する１つ以上の受信品質の情報に含まれ、かつセッションに参加する他の端末１０の送信品質と同等以下となるように抽出する。
【００９５】
これは、後述するように、本実施形態では、端末１０は、コンテンツデータを中継装置３０に送信し、中継装置３０は、端末１０から受信したコンテンツデータを、セッションに参加する他の端末１０に応じた品質に変換して配信するためである。一般的に、低画質の画像データを高画質に変換する場合、画質の劣化を伴い、処理の負荷も重くなる。従って、本実施形態では、中継装置３０による品質変換が、品質を変更しない、又は品質を下げる方向になるように、各端末１０のサービス内容（送信品質及び受信品質）を抽出する。
【００９６】
サービス内容決定部５７ｄ（決定手段）は、サービス内容抽出部５７ｃによって抽出された各端末１０のサービス内容（送信品質及び受信品質）に基づいて、セッションに参加する各端末１０のサービス内容を決定する。例えば、サービス内容抽出部５７ｃによって抽出された端末１０が利用可能な送信品質、又は受信品質の候補が複数ある場合、サービス内容決定部５７ｄは、候補の中から、端末１０の１つのサービス内容（送信品質、受信品質等）を決定する。
【００９７】
好ましくは、サービス内容決定部５７ｄは、各サービスＩＤに対応づけて、送信品質又は受信品質の品質項目毎に優先する内容を予め記憶したサービス優先度管理ＤＢ（サービス優先度情報）５００７に基づいて、各端末１０のサービス内容を決定する。なお、サービス優先度管理ＤＢ５００７については後述する。
【００９８】
好ましくは、上記のコンテンツデータの品質には、画像データのフレームレート、ビットレート、解像度、画質、又は色深度等の品質項目が含まれる。また、好ましくは、上記のコンテンツデータの品質には、音（音声）データのサンプリングレート、ビットレート、又は量子化ビット数等の品質項目が含まれる。
【００９９】
図７に戻って、管理システム５０の機能構成の説明を続ける。
【０１００】
管理システム５０の記憶・読出部５８は、図６に示されているＣＰＵ２０１からの命令及びＨＤＤ２０５によって実現され、又はＣＰＵ２０１からの命令によって実現される。記憶・読出部５８は、記憶部５０００への各種データを記憶、及び記憶部５０００からの各種データの読み出しを行う。なお、記憶・読出部５８は、各種データを、通信ネットワーク２等を介して接続された外部装置（例えばストレージサーバ等）に記憶するものであっても良い。
【０１０１】
＜中継装置の機能構成＞
中継装置３０は、送受信部（転送部）３１、品質変更部３２、中継管理部３３、及び記憶・読出部３４を有している。これら各部は、図６に示されている各構成要素のいずれかが、ＨＤ２０４からＲＡＭ２０３上に展開された中継装置用プログラムに従ったＣＰＵ２０１からの命令によって動作することで実現される機能又は機能する手段である。また、中継装置３０は、図６に示されているＲＡＭ２０３、及び／又は図６に示されているＨＤ２０４によって構築される記憶部３０００を有している。
【０１０２】
（中継装置の各機能構成）
次に、中継装置３０の各機能構成について説明する。なお、以下では、中継装置３０の各機能構成を説明するにあたって、図６に示されている各構成要素のうち、中継装置３０の各機能構成を実現させるための主な構成要素との関係も説明する。
【０１０３】
送受信部（転送部）３１は、図６に示されているＣＰＵ２０１からの命令、及び図６に示されているネットワークＩ／Ｆ２０９によって実現され、通信ネットワーク２を介して他の端末、装置、又はシステムと各種データ（または情報）の送受信を行う。また、送受信部３１は、転送部としての役割も果たし、中継管理部３３からの指示に従って、セッションに参加する端末１０から受信したコンテンツデータ（画像データ、音データ等）を、セッションに参加する他の端末１０に転送（中継）する。
【０１０４】
品質変更部３２は、図６に示されているＣＰＵ２０１からの命令によって実現される。品質変更部３２は、中継管理部３３からの指示に従って、送受信部３１が転送するコンテンツデータの品質を変更（変換）する。
【０１０５】
中継管理部３３は、図６に示されているＣＰＵ２０１からの命令によって実現され、例えば、図９に示すように、サービス内容管理部３３ａ、品質設定部３３ｂ、中継制御部３３ｃを含む。
【０１０６】
図９は、一実施形態に係る中継管理部の機能構成図である。
【０１０７】
サービス内容管理部３３ａは、管理システム５０から、送受信部３１を介して受信したセッション情報を、サービス内容管理ＤＢ３００１に記憶して、管理する。なお、サービス内容管理ＤＢ３００１については後述する。
【０１０８】
品質設定部３３ｂは、セッションが開始されると、サービス内容管理ＤＢ３００１に記憶されたセッション情報に基づいて、品質変更部３２の通信品質の変換（変更）内容を設定する。
【０１０９】
中継制御部３３ｃは、送受信部（転送部）３１によるコンテンツデータの転送（中継）処理を制御する。例えば、中継制御部３３ｃは、セッションに参加する各端末１０から受信したコンテンツデータの転送先等を送受信部（転送部）３１に指示する。
【０１１０】
上記の構成により、中継装置３０の品質変更部３２は、サービス内容管理部３３ａで管理されているセッション情報に基づいて、送受信部（転送部）３１で転送されるコンテンツデータの品質を変更し、指示された転送先に送信する。
【０１１１】
本実施形態に係る中継装置３０は、セッションに参加する端末１０から送信されたコンテンツデータを受信し、受信したコンテンツデータを、セッションに参加する他の端末１０の受信品質に変換して転送する。このとき、中継装置３０は、転送先のコンテンツデータの品質と、転送元から受信したコンテンツデータの品質が同じ場合、コンテンツデータの品質を変換せずに、転送を行うものであっても良い。
【０１１２】
記憶・読出部３４は、図６に示されているＣＰＵ２０１からの命令及びＨＤＤ２０５によって実現され、記憶部３０００に各種のデータを記憶する処理や、記憶部３０００に記憶された各種データを読み出す処理を行う。
【０１１３】
＜管理システムが管理する情報の例＞
ここで、管理システム５０の記憶部５０００に記憶されている各管理ＤＢについて説明する。
【０１１４】
図１０は、一実施形態に係る中継装置管理テーブル、認証管理テーブル、及び端末管理テーブルの概念図である。
【０１１５】
（中継装置管理テーブル）
管理システム５０の記憶部５０００に記憶された中継装置管理ＤＢ５００１には、例えば、図１０（Ａ）に示されているような中継装置管理テーブル１００１が含まれる。この中継装置管理テーブル１００１では、各中継装置３０の中継装置ＩＤ毎に、各中継装置３０の稼動状態、稼動状態の受信日時、各中継装置３０のＩＰアドレス、及び各中継装置３０の最大データ伝送速度（Ｍｂｐｓ）等が関連付けられて管理されている。例えば、図１０（Ａ）に示されている中継装置管理テーブル１００１において、中継装置ＩＤが「１１１ａ」の中継装置３０ａは、稼動状態がオンライン（ＯＮライン）であることが示されている。また、管理システム５０で稼働状態を受信した日時が「２０ｘｘ年４月１０日の１３時００分」であることが示されている。また、中継装置管理テーブル１００１において、この中継装置３０ａのＩＰアドレスは、「１．２．１．２」であり、この中継装置３０ａにおける最大データ伝送速度は、「１００Ｍｂｐｓ」であることが示されている。
【０１１６】
（認証管理テーブル）
また、管理システム５０の記憶部５０００に記憶された認証管理ＤＢ５００２には、例えば、図１０（Ｂ）に示されているような認証管理テーブル１００２が含まれる。この認証管理テーブル１００２では、管理システム５０によって管理される端末１０の各端末ＩＤと、各端末１０のパスワードとが関連付けられて管理されている。例えば、図１０（Ｂ）に示されている認証管理テーブル１００２において、端末ＩＤが「０１ａａ」の端末１０のパスワードは、「ａａａａ」であることが示されている。
【０１１７】
（端末管理テーブル）
さらに、管理システム５０の記憶部５０００に記憶された端末管理ＤＢ５００３には、例えば、図１０（Ｃ）に示されているような端末管理テーブル１００３が含まれる。この端末管理テーブル１００３では、各端末１０の端末ＩＤ毎に、各端末１０を宛先とした場合の宛先名、各端末１０の稼動状態、後述のログイン要求情報が管理システム５０で受信された受信日時、及び端末１０のＩＰアドレスが関連付けられて管理される。例えば、図１０（Ｃ）に示されている端末管理テーブル１００３において、端末ＩＤが「０１ａａ」の端末１０は、端末名が「日本  東京事業所  ＡＡ端末」で、稼動状態が「オンライン（通信可能）」であることが示されている。また、端末ＩＤが「０１ａａ」の端末１０は、管理システム５０でログイン要求情報が受信された日時が「２０ｘｘ年４月１０日の１３時４０分」で、ＩＰアドレスが「１．２．１．３」であることが示されている。
【０１１８】
図１１は、一実施形態に係る宛先リスト管理テーブル、及びセッション管理テーブルの概念図である。
【０１１９】
（宛先リスト管理テーブル）
管理システム５０の記憶部５０００に記憶された宛先リスト管理ＤＢ５００４には、例えば、図１１（Ａ）に示されているような宛先リスト管理テーブル１１０１が含まれる。この宛先リスト管理テーブル１１０１では、テレビ会議における通信（伝送）の開始を要求する要求元端末の端末ＩＤである要求元端末ＩＤに対して、宛先端末の候補として登録されている宛先端末の端末ＩＤである宛先端末ＩＤが全て関連付けられて管理される。例えば、図１１（Ａ）に示されている宛先リスト管理テーブル１１０１において、端末ＩＤが「０１ａｂ」である要求元端末から通信の開始を要求することができる宛先端末の候補は、端末ＩＤが「０１ａａ」、「０１ｃａ」、及び「０１ｃｂ」の端末である。この宛先端末の候補は、任意の要求元端末から管理システム５０に対する追加又は削除の要請により、追加又は削除されることで更新される。
【０１２０】
（セッション管理テーブル）
管理システム５０の記憶部５０００に記憶されたセッション管理ＤＢ５００５には、例えば、図１１（Ｂ）に示されているようなセッション管理テーブル１１０２が含まれる。このセッション管理テーブル１１０２には、セッションの識別情報であるセッションＩＤ毎に、中継に使用される中継装置３０の中継装置ＩＤ、要求元端末の端末ＩＤ、宛先端末の端末ＩＤ、遅延時間（ｍｓ）、及びこの遅延時間を受信した受信日時等が管理される。例えば、図１１（Ｂ）に示されているセッション管理テーブル１１０２において、セッションＩＤ「ｓｅ３」のセッションは、要求元端末ＩＤ「０１ｂｂ」と宛先通信「０１ｄａ」との間で行われていることが示されている。また、セッションＩＤ「ｓｅ３」のセッションは、中継装置ＩＤ「１１１ａ」の中継装置を介して、「２０ｘｘ／４／１０ １３：２０」に開始されたことが示されている。
【０１２１】
（サービス管理テーブル）
図１２は、一実施形態に係るサービス管理テーブルの概念図である。
【０１２２】
管理システム５０の記憶部５０００に記憶されたサービス管理ＤＢ５００６には、例えば、図１２に示されているようなサービス管理テーブル１２０１が含まれる。このサービス管理テーブル１２０１では、複数のサービスＩＤと、各サービスＩＤに対応する１つ以上の送信品質の情報及び１つ以上の受信品質の情報とが、関連付けられて記憶されている。
【０１２３】
サービスＩＤは、管理システム５０が管理する複数の端末１０（又は複数の端末１０の利用者）のそれぞれに提供されるサービス内容を識別するためのサービス識別情報の一例である。
【０１２４】
品質項目は、端末１０（又は端末１０の利用者）に提供される１つ以上の送信品質の情報、及び１つ以上の受信品質の情報に関する品質項目を示す情報である。
【０１２５】
送信品質を示す情報、及び受信品質を示す情報には、例えば、端末１０が伝送する画像データのフレームレート、ビットレート、画質、解像度、又は色深度等の品質項目が含まれる。図１２に示すサービス管理テーブル１２０１の例では、受信フレームレート、送信フレームレート、受信画質、送信画質等の品質項目が含まれている。
【０１２６】
フレームレートは、単位時間あたりに処理される画像のフレーム数を示し、例えば、ｆｐｓ（frame per second）の単位で表される。また、受信画質は、図３で説明した、低解像度、中解像度、及び高解像度等で表される。
【０１２７】
フレームレートの値は、ｆｐｓの値が大きい程、画像（動画）の動きが滑らかになるが、伝送されるデータ量が多くなる。また、受信画質は、低解像度よりも中解像度の方が高画質であるが、やはり伝送されるデータ量が多くなる。従って、利用可能な通信帯域が限られている場合、画質を重視して中解像度を選ぶとフレームレートが下がり、動きを重視してｆｐｓの値を大きくすると画質が下がる場合がある。
【０１２８】
また、送信品質を示す情報、及び受信品質を示す情報には、例えば、端末１０が伝送する音データのサンプリングレート、ビットレート、又は量子化ビット数等の品質項目が含まれる。図１２に示すサービス管理テーブル１２０１の例では、受信サンプリングレート、送信サンプリングレート等の品質項目が含まれている。
【０１２９】
サンプリングレートは、音声の単位時間当たりの標本化回数を示し、例えば、標本化周波数で表される。この標本化周波数が高いほど、音質が良くなる。
【０１３０】
なお、サービス内容に含まれる通信品質を指定する情報は、符号化方式を示す情報等を含んでいても良い。例えば、端末１０が、複数の符号化方式（H.264/AVC、H.264/SVC、H.265等）を選択して画像を処理可能である場合、サービス管理テーブル１２０１に含まれるサービス内容を含む情報は、符号化方式を指定するもの等であっても良い。
【０１３１】
なお、サービス管理テーブル１２０１の内容は、管理システム５０の管理者や、サービスの提供者等によって、予め設定された情報であるものとする。
【０１３２】
（サービス優先度管理テーブル）
図１３は、一実施形態に係るサービス優先度管理テーブルの概念図である。
【０１３３】
管理システム５０の記憶部５０００に記憶されたサービス優先度管理ＤＢ（サービス優先度情報）５００７には、例えば、図１３に示されているようなサービス優先度管理テーブル１３０１が含まれる。サービス優先度管理テーブル１３０１には、各サービスＩＤに対応づけて、送信品質や受信品質の品質項目毎に優先する内容を示す情報が予め記憶されている。
【０１３４】
図１３の例では、サービスＩＤ「ｓｖ９０１」は、送信フレームレートの選択肢が複数ある場合、より高いフレームレートを優先して選択することが示されている。また、サービスＩＤ「ｓｖ９０２」では、送信フレームレートの選択肢が複数ある場合、より低いフレームレートを優先して選択することが示されている。他の品質項目についても同様に、優先する品質の内容が示されている。
【０１３５】
管理システム５０のサービス内容決定部５７ｄは、サービス内容抽出部５７ｃによって抽出されたサービス内容が複数ある場合、例えば、サービス優先度管理ＤＢ５００７を用いて、１つのセッションのサービス内容に絞り込み（決定）を行う。
【０１３６】
＜中継装置が管理する情報の例＞
（サービス内容管理テーブル）
図１４は、一実施形態に係る中継装置が管理するサービス内容管理テーブルの概念図である。中継装置３０の記憶部３０００に記憶されたサービス内容管理ＤＢ３００１には、例えば、図１４に示されているようなサービス内容管理テーブル１４０１が含まれる。サービス内容管理テーブル１４０１には、各セッションの識別情報であるセッションＩＤに対応づけて、管理システム５０から通知されたセッション毎のサービス内容が記憶されている。このサービス内容には、例えば、図１４に示すように、各端末１０の識別情報である端末ＩＤと、各端末ＩＤの送信品質（例えば送信フレームレート）、受信品質（例えば受信フレームレート）等の情報が記憶されている。
【０１３７】
＜処理の流れ＞
次に、伝送システム１における伝送管理方法の処理の流れについて説明する。
【０１３８】
（準備段階の処理）
図１５は、第１の実施形態に係る伝送システムの準備段階の処理の例を示すシーケンス図である。ここでは、一例として、端末１０Ａ、端末１０Ｂ、及び端末１０Ｃによる、セッションを開始する前の準備段階における処理について説明する。なお、以下の説明の中で、端末１０Ａの端末ＩＤは「０１ａａ」、端末１０Ｂの端末ＩＤは「０１ｂａ」、端末１０Ｃの端末ＩＤは「０１ｄｂ」であるものとする。また、図１５では、図２に示されている管理情報用セッションｓｅｉによって、各種管理情報が送受信されるものとする。
【０１３９】
まず、要求元端末である端末１０Ａの利用者が、図５に示されている電源スイッチ１０９をＯＮにすると、図７に示されている操作入力受付部１２が電源ＯＮを受け付けて、端末１０Ａの電源をオンにする（ステップＳ２１）。そして、通信制御部１３は、上記の電源オンを契機とし、送受信部１１から通信ネットワーク２を介して管理システム５０に、ログインを要求するログイン要求情報を送信する（ステップＳ２２）。なお、ログイン要求情報が、電源スイッチ１０９のオンによって送信されるのは一例であって、例えば、利用者による操作ボタン１０８の操作等によって送信されるものであっても良い。
【０１４０】
また、ログイン要求情報には、要求元としての自端末である端末１０Ａを識別するための端末ＩＤ（要求元端末ＩＤ）及びパスワードが含まれている。これら端末ＩＤ及びパスワードは、例えば、記憶・読出部１７を介して記憶部１０００から読み出された情報である。或いは、端末ＩＤ及びパスワードは、記録媒体１０１０に記録されており、記録媒体１０１０から読み出されるもの等であっても良い。また、端末１０Ａから管理システム５０へログイン要求情報が送信される際に、受信側である管理システム５０は、送信側である端末１０ＡのＩＰアドレスを把握することができる。
【０１４１】
次に、管理システム５０の端末認証部５２は、送受信部５１を介して受信したログイン要求情報に含まれている端末ＩＤ及びパスワードを検索キーとして、前述した認証管理テーブル１００２を検索する。端末認証部５２は、端末１０Ａから受信したログイン要求情報に含まれる端末ＩＤ及びパスワードの組合せが、認証管理テーブル１００２に含まれるか否かによって端末認証を行う（ステップＳ２３）。
【０１４２】
端末認証部５２により、正当な利用権限を有する端末１０Ａからのログイン要求であると判断された場合、端末状態管理部５３は、端末管理テーブル１００３に記録されている端末１０Ａの端末ＩＤ「０１ａａ」の稼働状態を、「オンライン（通信可能）」に変更する。このとき、端末状態管理部５３は、受信日時を更新し、また、必要に応じて、端末１０のＩＰアドレスを更新する（ステップＳ２４）。これにより、端末管理テーブル１００３には、端末１０Ａの端末ＩＤ「０１ａａ」に、稼動状態「オンライン（通信可能）」、受信日時「２０ｘｘ．４．１０．１３：４０」及び端末１０ａａのＩＰアドレス「１．２．１．３」が関連付けて管理される。
【０１４３】
そして、管理システム５０の送受信部５１は、上記端末認証部５２によって得られた認証結果が示された認証結果情報を、通信ネットワーク２を介して、上記ログイン要求してきた要求元端末である端末１０Ａに送信する（ステップＳ２５）。ここでは、端末認証部５２によって正当な利用権限を有する端末であると判断された場合について、以下で説明する。
【０１４４】
管理システム５０の端末抽出部５４は、ログイン要求した要求元端末（端末１０Ａ）の端末ＩＤ「０１ａａ」を検索キーとして、宛先リスト管理テーブル１１０１を検索する。これにより、端末抽出部５４は、要求元端末（端末１０Ａ）と通信することができる宛先端末の候補の端末ＩＤを抽出する（ステップＳ２６）。ここでは、一例として、要求元端末（端末１０Ａ）の端末ＩＤ「０１ａａ」に対応する宛先端末の端末ＩＤとして、「０１ａｂ」、「０１ｂａ」、「０１ｄｂ」が抽出されるものとする。
【０１４５】
次に、端末状態取得部５５は、上記端末抽出部５４によって抽出された宛先端末の候補の端末ＩＤ（「０１ａｂ」、「０１ｂａ」、「０１ｄｂ」）を検索キーとして、端末管理テーブル１００３を検索する。これにより、端末抽出部５４によって抽出された端末ＩＤ毎に稼動状態を読み出すことにより、端末ＩＤ（「０１ａｂ」、「０１ｂａ」、「０１ｄｂ」）の各稼動状態を取得する（ステップＳ２７）。
【０１４６】
次に、送受信部５１は、宛先端末の候補の端末ＩＤ（「０１ａｂ」、「０１ｂａ」、「０１ｄｂ」）のそれぞれの稼働状態が含まれた宛先状態情報を、要求元端末（端末１０Ａ）に送信する（ステップＳ２８）。これにより、要求元端末（端末１０Ａ）は、この要求元端末（端末１０Ａ）の宛先端末の候補の端末ＩＤ（「０１ａｂ」、「０１ｂａ」、「０１ｄｂ」）の現時点のそれぞれの稼動状態を把握することができる。
【０１４７】
さらに、管理システム５０の端末抽出部５４は、ログイン要求してきた要求元端末（端末１０Ａ）の端末ＩＤ「０１ａａ」を検索キーとして、宛先リスト管理テーブル１１０１を検索する。これにより、端末抽出部５４は、要求元端末（端末１０Ａ）の端末ＩＤ「０１ａａ」を宛先端末の候補として登録している他の要求元端末ＩＤを抽出する（ステップＳ２９）。図１１（Ａ）に示されている宛先リスト管理テーブル１１０１では、抽出される他の要求元端末の端末ＩＤは、「０１ａｂ」、「０１ｂａ」、及び「０１ｄｂ」である。
【０１４８】
次に、管理システム５０の端末状態取得部５５は、上記ログイン要求して来た要求元端末（端末１０Ａ）の端末ＩＤ「０１ａａ」を検索キーとして、端末管理テーブル１００３を検索する。これにより、端末状態取得部５５は、ログイン要求してきた要求元端末（端末１０Ａ）の稼動状態を取得する（ステップＳ３０）。
【０１４９】
そして、送受信部５１は、上記ステップＳ２９で抽出された端末ＩＤ（「０１ａｂ」、「０１ｂａ」、「０１ｄｂ」）のうち、端末管理テーブル１００３で稼動状態が「オンライン（通信可能）」となっている端末ＩＤ（「０１ｂａ」、「０１ｄｂ」）を抽出する。また、送受信部５１は、抽出された端末ＩＤ（「０１ｂａ」、「０１ｄｂ」）に対応する端末１０Ｂ、端末１０Ｃに、要求元端末（端末１０Ａ）の端末ＩＤ「０１ａａ」と稼動状態「オンライン（通信可能）」が含まれる宛先状態情報を送信する（ステップＳ３１−１、２）。
【０１５０】
なお、送受信部５１が端末１０Ｂ、１０Ｃに宛先状態情報を送信する際に、各端末ＩＤ（「０１ｂａ」、「０１ｄｂ」）に基づいて、端末管理テーブル１００３で管理されている端末のＩＰアドレスを参照する。これにより、ログイン要求した要求元端末（端末１０Ａ）を宛先として通信することができる宛先端末（端末１０Ｂ、１０Ｃ）のそれぞれに、要求元端末（端末１０Ａ）の端末ＩＤ「０１ａａ」、及び稼動状態「オンライン（通信可能）」を伝えることができる。
【０１５１】
一方、他の端末１０でも、上記ステップ２１と同様に、例えば、利用者が図５に示されている電源スイッチ１０９をＯＮにすると、図７に示されている操作入力受付部１２が電源ＯＮを受付し、上記ステップＳ２２〜Ｓ３１−１、２の処理と同様の処理を行う。
【０１５２】
（通信処理）
図１６、１７は、一実施形態に係る伝送システムの通信処理の例を示すシーケンス図である。なお、図１６、１７においても、図２に示されている管理情報用セッションｓｅｉによって、各種管理情報が送受信されるものとする。また、ここでは、端末１０Ａと端末１０Ｂとの間でコンテンツデータの伝送を行う場合の例について説明する。
【０１５３】
ステップＳ１６０１において、端末１０Ａは、端末１０Ａの利用者による、宛先端末（端末１０Ｂ）の選択操作を受付すると、管理システム５０にセッションの開始を要求する開始要求情報を送信する（ステップＳ１６０２）。この開始要求情報には、例えば、要求元端末である端末１０Ａの要求元端末ＩＤ、宛先端末である端末１０Ｂの宛先端末ＩＤ、及び端末１０ＡのサービスＩＤ等の情報が含まれる。また、開始要求情報には、端末１０ＡのＩＰアドレス（要求元ＩＰアドレス）も含まれる。
【０１５４】
ステップＳ１６０３において、端末１０Ａから開始要求情報を受信した管理システム５０の端末状態管理部５３は、開始要求情報に含まれる要求元端末（端末１０Ａ）の端末ＩＤ「０１ａａ」に基づいて、端末管理ＤＢ５００３を更新する。例えば、端末状態管理部５３は、端末１０Ａの端末ＩＤ「０１ａａ」に対応する稼働状態の情報を「オンライン（通信中）」に変更し、受信日時の情報を更新する。
【０１５５】
ステップＳ１６０４において、管理システム５０のサービスＩＤ取得部５７ｂは、端末１０Ａから受信した開始要求情報に含まれるサービスＩＤを抽出する。
【０１５６】
ステップＳ１６０５において、管理システム５０のサービス情報管理部５７ａは、サービスＩＤ取得部５７ａが取得した端末１０ＡのサービスＩＤに対応するサービス内容を、サービス管理ＤＢ５００６から取得する。例えば、サービス情報管理部５７ａは、図１２のサービス管理テーブル１２０１から、端末１０ＡのサービスＩＤに対応する送信品質、及び受信品質等のサービス内容の情報を取得する。
【０１５７】
ステップＳ１６０６において、管理システム５０のセッション制御部５６ａは、宛先端末である端末１０Ｂにセッションの開始を要求する開始要求情報を送信する。この開始要求情報には、例えば、要求元端末である端末１０Ａの要求元端末ＩＤが含まれる。
【０１５８】
ステップＳ１６０７において、管理システム５０から開始要求情報を受信した端末１０Ｂは、管理システム５０に開始応答情報を送信する。この開始応答情報には、例えば、端末１０Ｂの宛先端末ＩＤ、及びサービスＩＤ等の情報が含まれる。
【０１５９】
ステップＳ１６０８において、端末１０Ｂから開始応答情報を受信した管理システム５０の端末状態管理部５３は、開始応答情報に含まれる端末１０Ｂの端末ＩＤ「０１ｂａ」に基づいて、端末管理ＤＢ５００３を更新する。例えば、端末状態管理部５３は、端末１０Ｂの端末ＩＤ「０１ｂａ」に対応する稼働状態の情報を「オンライン（通信中）」に変更し、受信日時の情報を更新する。
【０１６０】
ステップＳ１６０９において、管理システム５０のサービスＩＤ取得部５７ｂは、端末１０Ｂから受信した開始応答情報に含まれるサービスＩＤを抽出する。
【０１６１】
ステップＳ１６１０において、管理システム５０のサービス情報管理部５７ａは、サービスＩＤ取得部５７ａが取得した端末１０ＢのサービスＩＤに対応するサービス内容を、サービス管理ＤＢ５００６から取得する。例えば、サービス情報管理部５７ａは、図１２のサービス管理テーブル１２０１から、端末１０ＢのサービスＩＤに対応する送信品質、及び受信品質等のサービス内容の情報を取得する。
【０１６２】
なお、３台以上の端末１０間でコンテンツのデータ伝送を行う場合、管理システム５０は、例えば、３台目以降の端末１０に対してステップＳ１７０６〜Ｓ１７０９の処理を実行し、各端末１０のサービスＩＤに対応するサービス内容と、端末能力情報とを取得する。
【０１６３】
ステップＳ１６１１において、サービス内容抽出部５７ｃ、及びサービス内容決定部５７ｄは、ステップＳ１６０５、Ｓ１６１０で取得した各端末１０のサービス内容と、サービス優先度管理ＤＢ５００７とに基づいて、セッションのサービス内容を決定する。なお、セッションのサービス内容の決定方法については、図１７、１８を用いて後述する。
【０１６４】
ステップＳ１６１２において、管理システム５０のセッション制御部５６ａは、セッションを識別するための識別情報であるセッションＩＤを作成する。
【０１６５】
ステップＳ１６１３において、セッション情報管理部５６ｂは、作成されたセッションＩＤを、要求元端末ＩＤ（端末１０Ａの端末ＩＤ）、及び宛先端末ＩＤ（端末１０Ｂの端末ＩＤ）と対応づけてセッション管理ＤＢ５００５に記録する。
【０１６６】
続いて、図１７を参照して伝送システム１の通信処理の説明を続ける。
【０１６７】
ステップＳ１６１４において、管理システム５０のセッション制御部５６ａは、中継装置３０に、セッション情報を送信する。このセッション情報には、例えば、ステップＳ１６１２で作成されたセッションＩＤ、及びステップＳ１６１１で決定された端末１０Ａ、１０Ｂの送信品質、受信品質等のサービス内容の情報が含まれる。
【０１６８】
ステップＳ１６１５において、管理システム５０から送信されたセッション情報を受信した中継装置３０のサービス内容管理部３３ａは、受信したセッション情報に含まれる各端末１０のサービス内容をサービス内容管理ＤＢ３００１に記憶して、管理する。
【０１６９】
ステップＳ１６１６において、中継装置３０の品質設定部３３ｂは、サービス内容管理ＤＢ３００１に記憶された各端末１０のサービス内容に基づいて、中継装置３０の品質変更部３２の設定を行う。これにより、品質変更部３２は、送受信部（転送部）３１が各端末１０Ａ〜１０Ｃに転送するコンテンツの品質を、サービス内容管理テーブル１４０１に記憶された品質に応じて自動的に変換する。
【０１７０】
ステップＳ１６１７ａにおいて、管理システム５０のセッション制御部５６ａは、端末１０Ａにセッションの開始を指示する開始指示情報を送信する。同様に、ステップＳ１６１７ｂにおいて、管理システム５０のセッション制御部５６ａは、端末１０Ｂにセッションの開始を指示する開始指示情報を送信する。これらのこの開始指示情報には、セッションの識別情報であるセッションＩＤ、及び各端末１０の送信品質、及び受信品質等のサービス内容の情報が含まれる。
【０１７１】
ステップＳ１６１８ａにおいて、端末１０Ａの通信制御部１３は、受信した開始指示情報に含まれるサービス内容（送信品質及び受信品質）を設定し、中継装置３０との間で通信セッション（セッションｓｅｄ）を確立する（ステップＳ１６１９ａ）。同様に、ステップＳ１６１８ｂにおいて、端末１０Ｂの通信制御部１３は、受信した開始指示情報に含まれるサービス内容（送信品質及び受信品質）を設定し、中継装置３０との間で通信セッション（セッションｓｅｄ）を確立する（ステップＳ１６１９ｂ）。
【０１７２】
上記の処理により、端末１０Ａ、１０Ｂは、中継装置３０を介して同じ通信セッションに参加し、画像データや音データ等のコンテンツデータを互いに伝送することができるようになる。
【０１７３】
例えば、図１６、１７で確立されたセッションが、図１４に示すサービス内容管理テーブル１４０１のセッションＩＤ「ｓｅ００１」であり、端末１０Ａの端末ＩＤが「０１ａａ」、端末１０Ｂの端末ＩＤが「０１ａｂ」であるものとして、以下の説明を行う。
【０１７４】
ステップＳ１６２０において、端末１０Ａは、コンテンツデータ（画像データ及び音データ）を、送信フレームレート「２０ｆｐｓ」、送信画質「中解像度」、送信サンプリングレート「２２．０５ｋＨｚ」で、中継装置３０に送信する。
【０１７５】
ステップＳ１６２１において、端末１０Ａからコンテンツデータを受信した中継装置３０は、受信したコンテンツデータを、品質変更部３２によりコンテンツデータの品質を変換し、送受信部（転送部）３１により端末１０Ｂに転送（中継）する。
【０１７６】
例えば、図１４のサービス内容管理テーブル１４０１によると、端末１０Ｂ（端末ＩＤ０１ａｂ）は、端末１０Ａ（端末ＩＤ０１ａａ）が送信する２０ｆｐｓの画像をそのまま受信可能である。また、端末１０Ｂは、端末１０Ａが送信するサンプリングレート２２．０５ｋＨｚの音データをそのまま受信可能である。一方、端末１０Ｂの受信画質は「低解像度」なので、端末１０Ａからの画像をそのままでは受信できない。この場合、中継装置３０は、端末１０Ａから受信した「中解像度」の画像を「低解像度」の画像に変換し、変換した画像データを端末１０Ｂに送信する（ステップＳ１６２２）。
【０１７７】
同様に、ステップＳ１６２３において、端末１０Ｂは、コンテンツデータを、送信フレームレート「３０ｆｐｓ」、送信画質「中解像度」、送信サンプリングレート「２２．０５ｋＨｚ」で、中継装置に送信する。
【０１７８】
ステップＳ１６２４において、端末１０Ｂからコンテンツデータを受信した中継装置３０は、受信したコンテンツデータを、品質変更部３２によりコンテンツデータの品質を変換し、送受信部（転送部）３１により端末１０Ａに転送（中継）する。
【０１７９】
例えば、図１４のサービス内容管理テーブル１４０１によると、端末１０Ａ（端末ＩＤ０１ａａ）は、端末１０Ｂ（端末ＩＤ０１ａｂ）が送信する３０ｆｐｓの画像をそのまま受信可能である。また、端末１０Ｂは、端末１０Ａが送信するサンプリングレート２２．０５ｋＨｚの音データをそのまま受信可能である。一方、端末１０Ａの受信画質は「低解像度」なので、端末１０Ｂからの画像をそのままでは受信できない。この場合、中継装置３０は、端末１０Ｂから受信した「中解像度」の画像を「低解像度」の画像に変換し、変換した画像データを端末１０Ａに送信する（ステップＳ１６２５）。
【０１８０】
上記の処理により、本実施形態に係る伝送システム１によれば、中継装置３０を介してコンテンツデータを伝送する伝送システム１において、端末１０のサービス内容に応じたセッションのサービス内容を容易に決定することができるようになる。
【０１８１】
＜サービス内容の決定処理＞
ここで、セッションのサービス内容の決定処理について説明を行う。この処理は、図１６のステップＳ１６１１に対応する処理である。ここでは、端末１０の数が３台の場合について説明を行うが、端末１０の数は２台以上の他の台数であっても同様に処理することができる。
【０１８２】
図１８は、一実施形態に係るサービス内容の決定処理の流れを示すフローチャートである。
【０１８３】
ステップＳ１８０１において、管理システム５０のサービスＩＤ取得部５７ｂは、セッションに参加する各端末１０のサービスＩＤを取得する。この処理は、例えば、図１６のステップＳ１６０４、Ｓ１６０９等の処理に対応する。なお、端末１０の数が３台である場合、サービスＩＤ取得部５７ｂは、例えば、３台目の端末１０に対して、図１６のステップＳ１６０６〜Ｓ１６０９の処理を実行する。
【０１８４】
ステップＳ１８０２において、管理システム５０のサービス情報管理部５７ａは、サービス管理ＤＢ５００６に含まれるサービス管理テーブル１２０１から、各端末１０のサービスＩＤに対応する送信品質、及び受信品質等のサービス内容の情報を取得する。この処理は、例えば、図１６のステップＳ１６０５、Ｓ１６１０等の処理に対応する。
【０１８５】
ステップＳ１８０３において、管理システム５０のサービス内容抽出部５７ｃは、取得した各端末１０のサービスＩＤに対応する送信品質、及び受信品質に基づいて、セッションで各端末１０が利用可能な送信品質、及び受信品質を抽出する。
【０１８６】
図１９は、一実施形態に係るサービス内容の決定処理を説明するための図である。例えば、図１９に示すように、セッションに参加する端末１０を、端末１０Ａ、端末１０Ｂ、及び端末１０Ｃとする。また、ここで求める各端末１０Ａ、１０Ｂ、１０Ｃの送信品質をそれぞれＳＡ、ＳＢ、ＳＣとし、受信品質をそれぞれＲＡ、ＲＢ、ＲＣとする。
【０１８７】
この場合、サービス内容抽出部５７ｃは、以下の式（１）〜（４）を満たすように、各端末１０Ａ、１０Ｂ、１０Ｃの送信品質ＳＡ、ＳＢ、ＳＣ、及び受信品質ＲＡ、ＲＢ、ＲＣをそれぞれ求める。
【０１８８】
例えば、各端末１０Ａ、１０Ｂ、１０ＣのサービスＩＤに基づく受信可能なコンテンツデータの受信品質を示す離散集合をＣｒＳＡ、ＣｒＳＢ、ＣｒＳＣとする。同様に、各端末１０Ａ、１０Ｂ、１０ＣのサービスＩＤに基づく送信可能なコンテンツデータの送信品質を示す離散集合をＣｓＳＡ、ＣｓＳＢ、ＣｓＳＣとする。これらの離散集合の１要素は、例えば、図１２に示すサービス管理テーブル１２０１の１つの行に対応する。
【０１８９】
例えば、端末１０ＡのサービスＩＤを「ｓｖ９０１」とすると、ＣｒＳＡの要素には、「受信フレームレート  ３０ｆｐｓ」、「受信フレームレート  ２０ｆｐｓ」、「受信画質  中解像度」、「受信画質  低解像度」、「受信サンプリングレート  ４４．１ｋＨｚ」、「受信サンプリングレート  ２２．０５ｋＨｚ」等が含まれる。また、ＣｓＳＡの要素には、「送信フレームレート  ２０ｆｐｓ」、「送信フレームレート  １０ｆｐｓ」、「送信画質  中解像度」、「送信画質  低解像度」、「送信サンプリングレート  ４４．１ｋＨｚ」、「送信サンプリングレート  ２２．０５ｋＨｚ」等が含まれる。
【０１９０】
サービス内容抽出部５７ｃは、セッションに参加する各端末１０Ａ、１０Ｂ、１０Ｃの送信品質ＳＡ、ＳＢ、ＳＣを、それぞれ、離散集合ＣｓＳＡ、ＣｓＳＢ、ＣｓＳＣの要素となるように抽出する。これは、次の式（１）で表される。
【０１９１】
【数１】
2017038252.tif 000003
これは、例えば、端末１０Ａの送信品質ＳＡを、端末１０ＡのサービスＩＤに対応する１つ以上の送信品質のいずれかを満たすように抽出することに相当する。
【０１９２】
また、サービス内容抽出部５７ｃは、セッションに参加する各端末１０Ａ、１０Ｂ、１０Ｃの受信品質ＲＡ、ＲＢ、ＲＣを、それぞれ、離散集合ＣｒＳＡ、ＣｒＳＢ、ＣｒＳＣの要素となるように抽出する。これは、次の式（２）で表される。
【０１９３】
【数２】
2017038252.tif 000004
これは、例えば、端末１０Ａの受信品質ＲＡを、端末１０ＡのサービスＩＤに対応する１つ以上の受信品質のいずれかを満たすように抽出することを示している。
【０１９４】
さらに、サービス内容抽出部５７ｃは、セッションに参加する各端末１０Ａ、１０Ｂ、１０Ｃの送信品質ＳＡ、ＳＢ、ＳＣを、それぞれ、セッションに参加する他の端末１０の受信品質と同等以上となるように抽出する。これは、次の式（３）で表される。
【０１９５】
【数３】
2017038252.tif 000005
例えば、図１９において、端末１０Ａは、コンテンツデータを送信品質ＳＡで中継装置３０に送信し、中継装置３０は、端末１０Ａから受信したコンテンツデータを、受信品質ＲＢで端末１０Ｂに、受信品質ＲＣで端末１０Ｃに転送するものとする。この場合、端末１０Ａの送信品質ＳＡは、端末１０Ｂの受信品質ＲＢ、端末１０Ｃの受信品質ＲＣと同等以上の品質となるように抽出することが望ましい。これは、端末１０Ａの送信品質ＳＡが、端末１０Ｂの受信品質ＲＢ、端末１０Ｃの受信品質ＲＣよりも低くなると、画質が劣化したり、中継装置３０の負荷が重くなる等の問題が発生するためである。
【０１９６】
さらにまた、サービス内容抽出部５７ｃは、セッションに参加する各端末１０Ａ、１０Ｂ、１０Ｃの受信品質ＲＡ、ＲＢ、ＲＣを、それぞれ、コンテンツの伝送を行う他の端末１０の送信品質と同等以下となるように抽出する。これは、次の式（４）で表される。
【０１９７】
【数４】
2017038252.tif 000006
例えば、図１９において、端末１０Ｂはコンテンツデータを送信品質ＳＢで中継装置３０に送信し、端末１０Ｃはコンテンツデータを送信品質ＳＣで中継装置３０に送信するものとする。また、中継装置３０は、端末１０Ｂ、１０Ｃから受信したコンテンツデータを、受信品質ＲＡで端末１０Ａに転送するものとする。この場合、端末１０Ａの受信品質ＲＡは、端末１０Ｂの送信品質ＳＢ、端末１０Ｃの送信品質ＳＣと同等以下の品質となるように抽出することが望ましい。これは、端末１０Ａの受信品質ＲＡが、端末１０Ｂの送信品質ＳＢ、端末１０Ｃの送信品質ＳＣよりも高くなると、画質が劣化したり、中継装置３０の負荷が重くなる等の問題が発生するためである。
【０１９８】
図１８のステップＳ１８０３において、管理システム５０のサービス内容抽出部５７ｃは、上記の式（１）〜（４）を満たすＳＡ、ＳＢ、ＳＣ、ＲＡ、ＲＢ、ＲＣを、セッションに参加する各端末１０がセッションで利用可能な送信品質、及び受信品質として抽出する。
【０１９９】
図１８のステップＳ１８０４おいて、管理システム５０のサービス内容決定部５７ｄは、ステップＳ１８０３で、セッションに参加する各端末１０が利用可能な送信品質、及び受信品質が抽出されたか否かを判断する。ここで、各端末１０がセッションで利用可能なサービス内容がない場合、サービス内容決定部５７ｄは、ステップＳ１８０５に移行して通信開始を拒否する。なお、各端末１０がセッションで利用可能なサービス内容がない場合とは、セッションで利用可能な送信品質、及び受信品質が抽出されない端末１０が１つ以上あることを示す。
【０２００】
一方、各端末１０が利用可能なサービス内容がある場合、サービス内容決定部５７ｄは、処理をステップＳ１８０６に移行させる。
【０２０１】
ステップＳ１８０６に移行すると、サービス内容決定部５７ｄは、ステップＳ１８０３で抽出された各端末１０が利用可能なサービス内容が１つであるか否かを判断する。ここで、例えば、端末１０Ａが利用可能なサービスが１つである場合、サービス内容決定部５７ｄは、ステップＳ１８０８において、抽出されたサービス内容（送信品質及び受信品質）を端末１０Ａのサービス内容に決定する。一方、端末１０Ａが利用可能なサービス内容が１つでない場合（複数ある場合）、サービス内容決定部５７ｄは、処理をステップＳ１９０７に移行させる。他の端末１０Ｂ、１０Ｃについても同様である。
【０２０２】
ステップＳ１８０７に移行すると、サービス内容決定部５７ｄは、サービス優先度管理ＤＢ５００７に含まれるサービス優先度管理テーブル１３０１に基づいて、抽出された利用可能なサービス内容の中から、各端末１０が利用するサービス内容を決定する。例えば、サービス内容決定部５７ｄは、図１３に示すサービス優先度管理テーブル１３０１に含まれる端末Ａ（サービスＩＤ「ｓｖ９０１」）の情報に基づいて、端末Ａのサービス内容を決定する。
【０２０３】
例えば、サービス内容抽出部５７ｃによって抽出された端末Ａの送信サンプリングレートが、「４４．１ｋＨｚ」、「２２．０５ｋＨｚ」の２つであるものとする。この場合、サービス内容決定部５７ｄは、サービス優先度管理テーブル１３０１に基づいて「サンプリングレートが低い方を優先」し、「２２．０５ｋＨｚ」を端末Ａの送信サンプリングレートとして決定する。
【０２０４】
同様に、例えば、サービス内容抽出部５７ｃによって抽出された端末Ａの「受信フレームレート」が、「３０ｆｐｓ」、「２０ｆｐｓ」の２つであるものとする。この場合、サービス内容決定部５７ｄは、サービス優先度管理テーブル１３０１に基づいて「受信フレームレートが高い方を優先」し、「３０ｆｐｓ」を端末Ａの受信フレームレートとして決定する。
【０２０５】
上記の処理により、サービス内容抽出部５７ｃは、セッションに参加する複数の端末１０の、サービスＩＤに対応する送信品質の情報、及び受信品質の情報に基づいて、各端末１０がセッションで利用可能な送信品質、及ぶ受信品質を抽出する。また、端末１０がセッションで利用可能な送信品質や受信品質が複数ある場合、サービス内容決定部５７ｄは、サービス優先度管理ＤＢ５００７を用いて、端末１０の送信品質、及び受信品質（サービス内容）を決定する。
【０２０６】
なお、上記の式（１）〜（４）は、好適な一例であり、システムの要求やシステム構成等に応じて、式の追加、削除、又は変更等が可能である。
【０２０７】
＜まとめ＞
一実施形態に係る伝送管理システム（５０）は、
中継装置（３０）を介してコンテンツデータの伝送を行うセッションを管理する伝送管理システム（５０）であって、
複数の伝送端末（１０）のそれぞれに提供されるサービス内容を識別するサービス識別情報と、前記サービス識別情報に対応する１つ以上の送信品質の情報及び１つ以上の受信品質の情報とを管理するサービス管理手段（５７ａ）と、
前記セッションに参加する伝送端末（１０）の各々の前記サービス識別情報を取得する取得手段（５７ｂ）と、
前記取得したサービス識別情報に基づいて、前記セッションに参加する伝送端末（１０）の各々が前記セッションで利用可能な前記送信品質及び前記受信品質を抽出する抽出手段（５７ｃ）と、
前記抽出された前記送信品質及び前記受信品質の中から、前記セッションに参加する伝送端末（１０）の各々が利用する前記送信品質及び前記受信品質を決定する決定手段（５７ｄ）と、
を有する。
【０２０８】
これにより、セッションに参加する各伝送端末（１０）に利用が許可された送信品質、及び受信品質に基づいて、セッションのサービス内容を決定することを容易にする伝送管理システム（５０）を提供することができる。
【０２０９】
なお、上記括弧内の参照符号は、理解を容易にするために付したものであり、一例に過ぎず、本発明の範囲を限定するものではない。
【０２１０】
〔実施形態の補足〕
上記実施形態における中継装置３０、管理システム５０等は、単一のコンピュータによって構築されてもよいし、各部（機能又は手段）を分割して任意に割り当てられた複数のコンピュータによって構築されていても良い。
【０２１１】
また、図１０、１１では、受信日時について管理しているが、これに限るものではなく、受信日時のうち少なくとも受信時間を管理すれば良い。
【０２１２】
さらに、上記実施形態では、伝送端末の一例として、テレビ会議端末の場合について説明したが、これに限るものではなく、ＩＰ(Internet Protocol)電話や、インターネット電話等の電話システムであっても良い。また、スマートフォン、携帯電話機、カーナビゲーション端末、ウェアラブルコンピュータ、監視カメラ、電子黒板、プロジェクタ、ゲーム機、又は、通信機能を備えた産業用機器であっても良い。ウェアラブルコンピュータには、腕時計やヘッドマウントディスプレイ等が含まれる。また、産業用機器には、ＭＦＰ(Multifunction Peripheral/Printer/Product)等のオフィス機器、内視鏡等の医療用機器、耕運機等の農業用機器などが含まれる。
【０２１３】
また、上記実施形態では、コンテンツデータの一例として、画像データ及び音データについて説明したが、これに限るものではなく、触覚(touch)データであっても良い。この場合、一方の端末側で利用者が接触した感覚が、他方の端末側に伝達される。さらに、コンテンツデータは、嗅覚（smell）データであってもよい。この場合、一方の端末側の匂い（臭い）が、他の端末側に伝達される。また、コンテンツデータは、画像データ、音データ、触覚データ、及び嗅覚データのうち、少なくとも１つのデータであれば良い。
【符号の説明】
【０２１４】
１    伝送システム
１０    端末（伝送端末）
１３    通信制御部（通信制御手段）
１７    記憶・読出部（読出手段）
３０    中継装置
５０    管理システム（伝送管理システム、情報処理装置）
５６ａ    セッション制御部（セッション制御手段）
５７ａ    サービス情報管理部（サービス管理手段）
５７ｂ    サービスＩＤ取得部（取得手段）
５７ｃ    サービス内容抽出部（抽出手段）
５７ｄ    サービス内容決定部（決定手段）
５００６    サービス管理ＤＢ
５００７    サービス優先度管理ＤＢ（サービス優先度情報）
【先行技術文献】
【特許文献】
【０２１５】
【特許文献１】特開２００８−２２７５７７号公報
【特許文献２】特表２０１１−５１０５３９号公報
【図１】
2017038252.tif 000007
【図２】
2017038252.tif 000008
【図３】
2017038252.tif 000009
【図４】
2017038252.tif 000010
【図５】
2017038252.tif 000011
【図６】
2017038252.tif 000012
【図７】
2017038252.tif 000013
【図８】
2017038252.tif 000014
【図９】
2017038252.tif 000015
【図１０】
2017038252.tif 000016
【図１１】
2017038252.tif 000017
【図１２】
2017038252.tif 000018
【図１３】
2017038252.tif 000019
【図１４】
2017038252.tif 000020
【図１５】
2017038252.tif 000021
【図１６】
2017038252.tif 000022
【図１７】
2017038252.tif 000023
【図１８】
2017038252.tif 000024
【図１９】
2017038252.tif 000025